(57)【要約】【課題】携帯型電子機器を縦置き状態、横置き状態で指示することが可能な携帯型電子機器用スタンドを提供する。【解決手段】第１接地面（スタンド本体５１の他方の端面５１Ｂ）を接地させることにより、プレーヤ１００を縦置き状態に設置し、第２接地面（脚部５２の側面５２Ｂ）を接地させることにより、プレーヤ１００を横置き状態に設置する。また、スタンド５０は、環状のスタンド本体５１および径方向外側に突出形成された脚部５２とから構成される簡単な構造となっているため、小型化を図ることができる。【選択図】図１
2010056969.tif 000002
【特許請求の範囲】
【請求項１】
環状に形成され、その内面に一方の端面から携帯型電子機器の一部が挿入して保持されるスタンド本体と、
前記スタンド本体の径方向外側に突出形成され、先端に向かって幅寸法が短くなる側面を有する脚部と、を具備し、
前記スタンド本体の他方の端面が第１接地面となり、前記脚部の側面が第２接地面となる
ことを特徴とする携帯型電子機器用スタンド。
【請求項２】
請求項１記載の携帯型電子機器用スタンドにおいて、
前記スタンド本体の内周には、前記一方の端面から前記他方の端面に向けて、前記携帯型電子機器の一部が挿入される案内溝が形成される
ことを特徴とする携帯型電子機器用スタンド。
【請求項３】
請求項２記載の携帯型電子機器用スタンドにおいて、
前記案内溝は、前記スタンド本体の中心軸線に対して傾斜して形成される
ことを特徴とする携帯型電子機器用スタンド。
【請求項４】
請求項１記載の携帯型電子機器用スタンドにおいて、
前記スタンド本体の直径は、前記携帯型電子機器の幅寸法にほぼ等しい大きさに形成される
ことを特注とする携帯型電子機器用スタンド。
【請求項５】
請求項１記載の携帯型電子機器用スタンドにおいて、
前記スタンド本体には、前記携帯型電子機器に形成される受電端子に接続される給電端子が形成される
ことを特徴とする携帯型電子機器用スタンド。
【請求項６】
請求項１記載の携帯型電子機器用スタンドにおいて、
前記スタンド本体には、前記携帯型電子機器が保持されるホルダが着脱可能に設けられる
ことを特徴とする携帯型電子機器用スタンド。
【発明の詳細な説明】
【技術分野】
【０００１】
本発明は、例えば、携帯電話、携帯型音楽プレーヤ等を横置き状態或いは縦置き状態で設置する携帯型電子機器用スタンドに関する。
【背景技術】
【０００２】
携帯型電子機器に内蔵した二次電池への充電や、携帯型電子機器が具備するメモリ内へのデータの授受を行うために、この携帯型電子機器が載置されるクレードルが知られている。
【０００３】
一方、携帯型電子機器には表示部が設けられており、当該携帯型電子機器の載置状態においては、縦長表示・横長表示を自動的に切り換えるものがある。そこで、電子機器を縦置き状態と横置き状態で設置する電子機器の置き台がある（特許文献１）。
【０００４】
ここで、特許文献１に記載の置き台は、縦置きの状態で携帯電話機の台となる略三角形状の第１の台部と、この第１の台部に接続され、横置きの状態で携帯電話機の台となる第２の台部と、を有する。
【０００５】
【特許文献１】特開２００６−２６２３２６号公報（図２）
【発明の開示】
【発明が解決しようとする課題】
【０００６】
そこで、本発明は、携帯型電子機器を縦置き状態、横置き状態で支持することが可能な携帯型電子機器用スタンドを提供することにある。
【課題を解決するための手段】
【０００７】
本発明が採用する携帯型電子機器用スタンドの構造は、環状に形成され、その内面に一方の端面から携帯型電子機器の一部が挿入して保持されるスタンド本体と、前記スタンド本体の径方向外側に突出形成され、先端に向かって幅寸法が短くなる側面を有する脚部と、を具備し、前記スタンド本体の他方の端面が第１接地面となり、前記脚部の側面が第２接地面となることを特徴とする。
【０００８】
上記構成において、前記スタンド本体の内周には、前記一方の端面から前記他方の端面に向けて、前記携帯型電子機器の一部が挿入される案内溝が形成されることが好ましい。
【０００９】
上記構成において、前記案内溝は、前記スタンド本体の中心軸線に対して傾斜して形成されることが好ましい。
【００１０】
上記構成において、前記スタンド本体の直径は、前記携帯型電子機器の幅寸法にほぼ等しい大きさに形成されることが好ましい。
【００１１】
上記構成において、前記スタンド本体には、前記携帯型電子機器に形成される受電端子に接続される給電端子が形成されることが好ましい。
【００１２】
上記構成において、前記スタンド本体には、前記携帯型電子機器が保持されるホルダが着脱可能に設けられることが好ましい。
【発明の効果】
【００１３】
本発明による携帯型電子機器用スタンドにおいては、第１接地面（スタンド本体の他方の端面）を接地させることにより、例えば携帯型電子機器を縦置き状態に設置し、第２接地面（脚部の側面）を接地させることにより、例えば携帯型電子機器を横置き状態に設置する。また、携帯型電子機器用スタンドは、環状のスタンド本体および径方向外側に突出形成された脚部とから構成されるデザイン的にもシンプルな構造となって小型化を図ることができる。
【発明を実施するための最良の形態】
【００１４】
以下、本発明による携帯型電子機器用スタンドを備えたクレードルの一実施形態を説明する。
＜クレードルの大略構成＞
図１は、本実施形態に係るクレードル１０に携帯型電子機器を載置した状態を示す斜視図、図２は本実施形態に係るクレードル１０の斜視図である。なお、本実施形態においては、クレードル１０に携帯型電子機器として携帯型音楽プレーヤ１００（以下、「プレーヤ１００」という）を載置するものとして説明する。
【００１５】
図１及び図２に示すように、クレードル１０は、プレーヤ１００を載置するホルダ２０と、このホルダ２０を縦置き・横置き状態で支持する携帯型電子機器用スタンド５０（以下、「スタンド５０」という）と、を具備する。プレーヤ１００は、その外形が矩形状に形成され、表面にはタッチパネル式の表示部１０１と操作子１０２とが配置され、短辺の中央部で、厚み方向の中央部には機器側コネクタ１０３（図８に図示。図８は厚み方向から見た図）が設けられる。
【００１６】
＜ホルダ２０の構成＞
次に、ホルダ２０の構成について説明する。図３はホルダ２０を示す斜視図、図４はホルダ２０と押当ねじ４２とを示す斜視図、図５は図４中の矢視V−V方向から見た断面図である。
【００１７】
ホルダ２０は、樹脂材料（例えば、ＡＢＳ樹脂）によって略「Ｌ」字状に形成され、短尺側が台座部２２となり、長尺側が背面部２３となり、折り曲げられた内側がプレーヤ１００が接続・載置される載置部２１となる。さらに、ホルダ２０には、後述する位置調整機構４０が設けられる。
【００１８】
台座部２２には、前記背面部２３と同じ方向に延びる雄型のホルダ側コネクタ２４が突設される。このホルダ側コネクタ２４は、図５に示すように、台座部２２に形成されたコネクタ孔２２Ａを介して載置部２１に向けて突出すると共に、台座部２２内に内蔵された基板３０に実装されるため、当該ホルダ側コネクタ２４は台座部２２に対して強固に固定される。
【００１９】
基板３０には電子素子３１が実装され、本実施形態においては、この電子素子３１によって無線送信回路が構成される。この無線送信回路は、ホルダ側コネクタ２４に機器側コネクタを介して接続されたプレーヤ１００のメモリ内に記憶されたデータを、無線通信によって外部の機器（例えば、スピーカ等）に送信する。また、ホルダ２０に対して外部給電がない場合には、この無線送信回路は、プレーヤ１００に内蔵された二次電池の電力を利用して駆動される。
【００２０】
背面部２３は、図３および図４に示すように、台座部２２から略直交する方向に延びる板状に形成され、台座部２２と共に、その内側が載置部２１の一部を構成する。
また、ホルダ２０の両側側面のうち台座部２２と背面部２３とのつなぎ部分には、スタンド５０を取り付けた状態で、スタンド５０側の給電端子が電気的に接続される受電端子２５（一方のみ図示）が露出した状態で設けられる。台座部２２の正面には基板３０に接続された緑色ＬＥＤ２６Ｇ，赤色ＬＥＤ２６Ｒが設けられる。背面部２３の側面には隠し蓋２７が形成され、この隠し蓋２７内には充電アダプタからリード線を介して直接給電されるコネクタが接続される受電コネクタ（いずれも図示せず）が隠蔽される。
【００２１】
＜位置調整機構４０の構成＞
次に、本実施形態による位置調整機構４０について説明する。
位置調整機構４０は、背面部２３に穿設されたねじ孔４１と、このねじ孔４１にねじ込まれる押当ねじ４２と、を具備する。この位置調整機構４０は、機器側コネクタ１０３をホルダ側コネクタ２４に接続した状態で、台座部２２に対してプレーヤ１００が略直交する状態に調整される。具体的には、プレーヤ１００を台座部２２に対して鉛直方向に保った上で、プレーヤ１００の背面に押当ねじ４２の押当部４２Ａが押し当たるまで調整される。
【００２２】
また、ねじ孔４１は、図４に示すように、内周面の一部に雌ねじ部４１Ａが形成される。
押当ねじ４２は、先端が押当部４２Ａとなって閉塞された有蓋筒状に形成され、その外周には雄ねじ部４２Ｂが形成され、前記押当部４２Ａから起端側に向けて直径方向に延びる把手部４２Ｃが形成される。
【００２３】
＜スタンド５０の構成＞
次に、本発明の特徴となるスタンド５０の構成について、図６および図７を参照しつつ説明する。図６はスタンド５０の斜視図、図７はホルダ２０にスタンド５０を取り付けた状態をプレーヤ１００の上側から見た上面図である。
スタンド５０は、環状のスタンド本体５１と、このスタンド本体５１の径方向外側に突出形成された略台形状の脚部５２と、を有する。スタンド本体５１は、環状円を構成する面に垂直な方向に隔たりがある端面、すなわち上下の両側が端面５１Ａ，５１Ｂとなり、その直径は、プレーヤ１００の幅寸法にほぼ等しい寸法となっている。
【００２４】
ここで、スタンド本体５１には、一方の端面５１Ａ、即ち上方側からホルダ２０の一部が挿入されるために、その内周には、直径方向に離間したホルダ案内溝５３，５３（一方のみ図示）がスタンド本体５１の軸線に対して斜めに形成される。さらに、ホルダ案内溝５３内には、ホルダ２０が取り付けられた状態で、ホルダ２０の受電端子２５に接続される給電端子５４が、所定のバネ力で伸退可能に設けられる。
【００２５】
また、脚部５２は、図７に示すように、先端に向かって幅寸法が短くなるテーパ状の側面５２Ａ，５２Ａを有する。さらに、脚部５２の上底部分には、充電アダプタからリード線・雄形プラグ（いずれも図示せず）を介して直接給電される雌形プラグ５５が形成される。雌形プラグ５５は給電端子５４に電気的に接続される。
このスタンド５０は、図１に示すように、プレーヤ１００を縦置き状態で設置する際には、スタンド本体５１の他方の端面５１Ｂ（即ち、下側の端面５１Ｂ）が第１接地面となり、図７に示すように、プレーヤ１００を横置き状態で設置する際には、脚部５２の側面５２Ａおよび環状部の側面５１Ｃが第２接地面となる。
【００２６】
＜クレードル１０の設定動作＞
次に、本実施形態によるクレードル１０に、プレーヤ１００を載置する際の動作について、図を参照しつつ説明する。図８は、ホルダ２０およびプレーヤ１００の寸法関係を模式的に示した図、図９は、ホルダ２０（クレードル１０）に対してプレーヤ１００を載置した状態を示す側面図である。
この設定動作は、図８に示すように、プレーヤ１００の機器側コネクタ１０３から背面部２３に対向する面までの距離をＷ、ホルダ側コネクタ２４から押当部４２Ａまでの距離をＬとすると、Ｌ≒Ｗとなるように、押当ねじ４２をねじ込んで距離Ｌを調整するものである。
【００２７】
始めに、使用者は、押当ねじ４２の押当部４２Ａが背面部２３から突出しない程度まで戻し、ホルダ２０の載置部２１にプレーヤ１００を載置すべく、機器側コネクタ１０３をホルダ側コネクタ２４に接続する。この際、プレーヤ１００はホルダ２０に対して固定されていないため、不安定な状態となる。そこで、使用者は、プレーヤ１００を台座部２２に対して直交した状態に保った上で、押当ねじ４２の把手部４２Ｃを摘んで時計方向に回転させ、押当ねじ４２をねじ孔４１に対してねじ込む。これにより、押当ねじ４２の押当部４２Ａを、背面部２３から突出させてプレーヤ１００の背面に近づける。押当ねじ４２の押当部４２Ａがプレーヤ１００の背面に押し当て、図９に示すように、押当ねじ４２を所定の位置（つまり、Ｌ≒Ｗ）に規定して、プレーヤ１００を台座部２２に対して直交する位置状態に設定する。
【００２８】
＜クレードル１０の動作＞
本実施形態によるクレードル１０にプレーヤ１００を載置することにより、クレードル１０は、機器側コネクタとホルダ側コネクタ２４とを電気的に接続する。これにより、ホルダ２０内に内蔵した無線送信回路は、プレーヤ１００の二次電池からの給電を受けて駆動し、プレーヤ１００のメモリに記憶したデータを無線通信によって外部の機器（例えば、スピーカ等）に送信する。
また、無線送信回路は、送信が良好の場合には緑色ＬＥＤ２６Ｇを点灯させ、エラーが発生している場合には、赤色ＬＥＤ２６Ｒを点灯させる機能を備えているため、使用者に対して無線通信の状況を報知する。
【００２９】
なお、ホルダ２０に対し、スタンド５０の雌形プラグ５５を介しての外部給電、或いは隠し蓋２７内の給電用コネクタを介しての外部給電があった場合には、前記無線送信回路は、外部給電によって駆動するようにしてもよい。この場合、基板３０に実装された電子素子３１によって外部給電の有無を判定する回路を構成すればよい。また、使用者の意思で給電源を切り換えるようにしてもよい。
【００３０】
また、クレードル１０は、プレーヤ１００が装着されたホルダ２０が、スタンド５０の上方から載置される。そして、図１に示すように、スタンド本体５１の他方の端面（下面）５１Ｂを接地させることにより、プレーヤ１００を縦置き状態に載置保持する。これによって、プレーヤ１００の表示部１０１を縦長状態に設置することが可能となる。
【００３１】
また、スタンド５０のホルダ案内溝５３は、スタンド本体５１の軸線に対して傾斜させて形成されているため、図１に示すように、スタンド５０の下面（他方の端面５１Ｂ）が接地されて、表示部１０１の上側が奥に傾斜した状態で設置される。これにより、使用者に対して表示部１０１が見易い状態になる。
【００３２】
一方、表示部１０１を横長状態で置く場合には、図７に示すように、テーパ状となった脚部５２の側面５２Ａおよび環状部の側面５１Ｃ、さらにプレーヤ本体の長手方向側面が接地されるため、プレーヤ１００を横置き状態で、スタンド５０との係合関係で保持する。これによって、プレーヤ１００の表示部１０１を横長状態に設置することが可能となる。さらに、表示部１０１の上側が奥に傾斜した状態で設置される。
このように、本実施形態によるクレードル１０では、ホルダ２０をスタンド５０を取り付けることによって、プレーヤ１００の縦置き・横置きを可能にする。
【００３３】
さらに、表示部１０１が縦長状態または横長状態に応じて、その表示を縦長表示または横長表示に自動的に切り換える機能を有するプレーヤ１００を、本実施形態によるクレードル１０に載置した場合、クレードル１０を縦置き・横置きに置き換えるだけで、表示部１０１の縦長表示・横長表示を切り換えることが可能となる。
【００３４】
しかも、スタンド５０は、携帯型電子機器（プレーヤ１００（ホルダ２０））の一部を環状のスタンド本体５２に挿入して保持する形状となっているため、特許文献１のように、携帯型電子機器を横方向・縦方向から掴む形状に比べて、小型化を図ることができる。しかも、スタンド５０は、環状のスタンド本体５１と、その径方向外側に突出形成された略台形の脚部５２とからなり、デザイン的にもシンプルな構造となっているため、特許文献１の置き台に比べ、強度を高めることもできる。
【００３５】
＜変形例＞
以上、本発明の実施形態について説明したが、本発明は上述した実施形態に限定されることなく、他の様々な形態で実施可能である。例えば、上述の実施形態を以下のように変形して本発明を実施してもよい。
＜変形例１＞
前記実施形態では、スタンド５０をクレードル１０の一部として構成した場合を例示したが、本発明はこれに限らず、スタンド５０に携帯型電子機器（例えば、携帯型音楽プレーヤ）を直接装着してもよい。
この場合、図１０に例示するスタンド５６のように構成すればよい。
このスタンド５６は、実施形態に記載したスタンド５０とほぼ同様に構成されるものの、ホルダ案内溝５３が機器案内溝５７，５７となって、スタンド本体５１の径方向両側に、スタンド本体５１の軸線に対して傾いた状態で形成される。また、スタンド本体５１の第１接地面となる端面側には、直径方向に延びる梁部５８が形成され、この梁部５８にはスタンド側コネクタ５９が、機器案内溝５７の傾きに平行となるように斜めに突出形成される。そして、プレーヤ１００を装着する段階で、機器側コネクタ１０３がスタンド側コネクタ５９に接続される。
【００３６】
このように構成されるスタンド５６であっても、実施形態のスタンド５０と同様に、第１接地面となるスタンド本体５１の端面５１Ｂを接地させることにより、プレーヤ１００を縦置き状態で載置し、第２接地面となる脚部５２の側面５２Ａを接地させることにより、プレーヤ１００を横置き状態で載置することができる。
【００３７】
＜変形例２＞
位置調整手段を、貫通孔、挿入軸および挿入規制手段から構成してもよい。
具体的には、図１１に示す位置調整機構６０のように、背面部２３に穿設され、内周面に複数個の環状溝６１Ａが形成された環状溝群６１が設けられた貫通孔６２と、前記貫通孔６２に挿入され、前記環状溝群６１に係合される係合爪６３Ｄが設けられ、先端の押当部６３Ａが前記携帯型電子機器の前記背面部に対向した面に向けて延びる挿入軸６３と、を具備する構成としてもよい。
【００３８】
係合爪６３Ｄは、挿入軸６３の直径方向に対向した位置で外周側に開口する断面矩形状に形成された収容穴６３Ｂ内に、付勢バネ６３Ｃと共に挿入される。
この環状溝６１Ａの断面形状は、直角三角形となって斜辺が挿入軸６３の挿入方向（矢印）に対して傾斜するように形成され、係合爪６３Ｄの歯形においても、環状溝６１Ａに係合する形状になっている。
【００３９】
このように構成される位置調整機構６０においては、挿入軸６３を矢印方向に押し付けると、係合爪６３Ｄが付勢バネ６３Ｃのバネ力に抗して収容穴６３Ｂ内に押し込まれ、押当部６３Ａが矢印方向に移動して、押当部６３Ａがプレーヤ１００の背面面に当たる。
また、前記位置調整機構６０の係合部および被係合部の形状は、凹凸形状を逆に形成してもよい。
【００４０】
＜変形例３＞
前記実施形態では、クレードル１０に載置されるプレーヤ１００は、ホルダ側コネクタ２４に接続されることが可能な機器側コネクタ１０３を有するプレーヤに限定されるが、ホルダ側コネクタ２４を交換可能にすることによって、種々の機器側コネクタを有するプレーヤも載置可能となる。
また、前記実施形態および変形例では、携帯型電子機器として携帯音楽型プレーヤを例に挙げて説明したが、本発明はこれに限定されるものでなく、本発明によるクレードルは、携帯電話、デジタルカメラ、ＰＤＡ（パーソナルデジタルアシスタンツ）等も載置可能であり、しかも、携帯型電子機器の種類を超えての共通した使用も可能となる。
【図面の簡単な説明】
【００４１】
【図１】実施形態によるクレードルに携帯型電子機器を載置した状態を示す斜視図である。
【図２】実施形態によるクレードルを示す斜視図である。
【図３】実施形態によるホルダを示す斜視図である。
【図４】実施形態によるホルダと押当ねじとを示す斜視図である。
【図５】図４中の矢視V−V方向から見た断面図である。
【図６】実施形態によるスタンドを示す斜視図である。
【図７】ホルダにスタンドを取り付けた状態を示す図である。
【図８】ホルダおよびプレーヤの寸法関係を模式的に示した図である。
【図９】ホルダに対してプレーヤ１００を載置した状態を示す側面図である。
【図１０】変形例１によるスタンドを示す断面図である。
【図１１】変形例２による位置調整機構を示す断面図である。
【符号の説明】
【００４２】
１０・・・クレードル、２０・・・ホルダ、２１・・・載置部、２２・・・台座部、２３・・・背面部、２４・・・ホルダ側コネクタ、４０，６０・・・位置調整機構（位置調整手段）、４１・・・ねじ孔、４１Ａ・・・雌ねじ孔、４２・・・押当ねじ、４２Ａ・・・押当部、４２Ｃ・・・把持部、５０，５６・・・スタンド、５１・・・スタンド本体、５１Ｂ・・・端面（第１接地面）、５２・・・脚部、５２Ａ・・・側面（第２接地面）、５３・・・ホルダ案内溝、５７・・・機器案内溝、１００・・・携帯型音楽プレーヤ、１０３・・・機器側コネクタ。
【図１】
2010056969.tif 000003
【図２】
2010056969.tif 000004
【図３】
2010056969.tif 000005
【図４】
2010056969.tif 000006
【図５】
2010056969.tif 000007
【図６】
2010056969.tif 000008
【図７】
2010056969.tif 000009
【図８】
2010056969.tif 000010
【図９】
2010056969.tif 000011
【図１０】
2010056969.tif 000012
【図１１】
2010056969.tif 000013